(57)【特許請求の範囲】
【請求項１】
下蓋と、上蓋、下蓋と上蓋との間に配設された断熱材とからなる保冷容器用蓋において、前記下蓋が、底板と、該底板の周辺から上方に向かって延在する周壁と、該周壁の上端から外側に向かって延在する水平フランジと、該水平フランジの周縁から上方に向かって延在する環状突起と、前記水平フランジを越えて上方に延在する複数本の補強兼溶着用リブとを有しており、また、前記上蓋が、天板と、該天板の周辺に沿って突設された環状凸部とを有しており、前記環状凸部を形成する外側周壁が、前記天板を越えて下方に延在しているとともに、前記外側周壁の下端には、外側に向かって延在する水平フランジが形成されており、且つ、前記水平フランジの下面には、下方に延在する環状突起が形成されており、前記下蓋に前記上蓋を被せた際には、前記上蓋の水平フランジの下面に形成された環状突起が、前記下蓋の水平フランジに載置されるとともに、前記下蓋の水平フランジに形成された環状突起と前記上蓋の水平フランジとの間には、所定の間隔ができるように構成されており、また、前記下蓋の水平フランジに形成された環状突起が、前記上蓋の水平フランジに形成された環状突起の外側に位置するように構成されており、更に、前記下蓋に前記上蓋を被せた際には、前記下蓋の底板に形成された補強兼溶着用リブが、前記上蓋の天板の下面に接触或いは実質的に接触するように構成されており、このような状態で、前記下蓋を、水平方向に振動させることにより、前記下蓋の水平フランジと前記上蓋の水平フランジに形成された環状突起とが溶着されるとともに、前記上蓋の天板と前記下蓋の底板に形成された補強兼溶着用リブとが溶着されるように構成されていることを特徴とする保冷容器用蓋。
【発明の詳細な説明】
【０００１】
【発明の属する技術分野】
本発明は、保冷容器に使用される保冷容器用蓋に関するものである。
【０００２】
【従来の技術】
従来、上蓋と下蓋とを、ブロー成形等により、それぞれ一体成形し、その後、上蓋と下蓋とを、熱風溶着や高周波溶着等により接合して、内部が空洞の中空蓋を形成し、次いで、注入孔より、中空蓋内に、発泡性ウレタン樹脂等の発泡性樹脂液を注入するとともに加熱発泡させて、内部が発泡樹脂で充填された保冷容器用蓋が知られている（例えば、実開昭５９−５５１７３号公報、実公昭６０−１０８４号公報等）。
【０００３】
【発明が解決しようとする課題】
上述した従来の保冷容器用蓋は、保冷容器の内外の温度差による熱膨張差により、蓋が反り変形を起こすという問題があり、そのための対策として、下蓋に、波形状の凹凸や交差凹凸を形成したり、上蓋や下蓋の肉厚を厚くしたりしている。しかしながら、下蓋に、波形状の凹凸や交差凹凸を形成した場合には、蓋の洗浄性が悪く、食料品等を収容する保冷容器においては、蓋の洗浄性が悪いということは、衛生上、大きな問題となる。また、上蓋や下蓋の肉厚を厚くすると、蓋が重くなるという問題がある。
【０００４】
本発明の目的は、上述した従来の保冷容器用蓋が有する課題を解決することにある。
【０００５】
【課題を解決するための手段】
本発明は、上述した目的を達成するために、下蓋と、上蓋、下蓋と上蓋との間に配設された断熱材とからなる保冷容器用蓋において、前記下蓋が、底板と、該底板の周辺から上方に向かって延在する周壁と、該周壁の上端から外側に向かって延在する水平フランジと、該水平フランジの周縁から上方に向かって延在する環状突起と、前記水平フランジを越えて上方に延在する複数本の補強兼溶着用リブとを有しており、また、前記上蓋が、天板と、該天板の周辺に沿って突設された環状凸部とを有しており、前記環状凸部を形成する外側周壁が、前記天板を越えて下方に延在しているとともに、前記外側周壁の下端には、外側に向かって延在する水平フランジが形成されており、且つ、前記水平フランジの下面には、下方に延在する環状突起が形成されており、前記下蓋に前記上蓋を被せた際には、前記上蓋の水平フランジの下面に形成された環状突起が、前記下蓋の水平フランジに載置されるとともに、前記下蓋の水平フランジに形成された環状突起と前記上蓋の水平フランジとの間には、所定の間隔ができるように構成されており、また、前記下蓋の水平フランジに形成された環状突起が、前記上蓋の水平フランジに形成された環状突起の外側に位置するように構成されており、更に、前記下蓋に前記上蓋を被せた際には、前記下蓋の底板に形成された補強兼溶着用リブが、前記上蓋の天板の下面に接触或いは実質的に接触するように構成されており、このような状態で、前記下蓋を、水平方向に振動させることにより、前記下蓋の水平フランジと前記上蓋の水平フランジに形成された環状突起とが溶着されるとともに、前記上蓋の天板と前記下蓋の底板に形成された補強兼溶着用リブとが溶着されるように構成したものである。
【０００６】
【実施例】
以下に、本発明の実施例について説明するが、本発明の趣旨を越えない限り何ら、本実施例に限定されるものではない。
【０００７】
本発明の保冷容器用蓋は、下蓋Ｃ１、上蓋Ｃ２及び下蓋Ｃ１と上蓋Ｃ２との間に配設される断熱材Ｍとから構成されている。
【０００８】
先ず最初に、図１〜図３及び図７を用いて、下蓋Ｃ１について説明する。
【０００９】
平面形状が略長方形状に形成された下蓋Ｃ１は、底板１と、底板１の周辺から、底板１を囲むように上方に向かって延在する周壁２と、周壁２の上端から外側に略水平に延在する水平フランジ３とを有しており、水平フランジ３の周縁には、上方に延在する環状突起３ａが形成されている。また、底板１には、周壁２に沿って額縁状の環状凹溝４が形成されている。５は、環状凹溝４内に位置する底板１に形成された、水平フランジ３を越えて上方に延在する補強兼溶着用のリブであり、リブ５は、長手方向に対して直角な断面形状が、細長い略台形状に形成されている。リブ５は、底板１の一方の相対する辺に平行に、且つ、所定の間隔を置いて、複数本、突設されている。本実施例には、底板１の相対する長辺１ａに平行に、８本のリブ５が突設されている例が示されている。６は、底板１の適当部分を上方に膨出させることにより形成された垂直断面形状が略円錐台状の空気抜き筒部であり、リブ５より、若干、低く構成されている。
【００１０】
次に、図１、図４、図５及び図７を用いて、上蓋Ｃ２について説明する。
【００１１】
上述した下蓋Ｃ１と略同じ大きさの平面形状が略長方形状に形成された上蓋Ｃ２は、天板７と、天板７の周辺に沿って額縁状に突設された環状凸部８とを有しており、環状凸部８を形成する外側周壁８ａは、天板７を越えて下方に延在している。環状凸部８を形成する外側周壁８ａの下端からは、外側に略水平方向に延在する水平フランジ９が形成されており、水平フランジ９の下面には、下方に延在する環状突起９ａが形成されている。
【００１２】
図６及び図７に示されているように、下蓋Ｃ１に上蓋Ｃ２を被せた際には、上蓋Ｃ２の水平フランジ９に形成された環状突起９ａが、下蓋Ｃ１の水平フランジ３に載置されるとともに、下蓋Ｃ１の水平フランジ３に形成された環状突起３ａと上蓋Ｃ２の水平フランジ９との間には、所定の間隙ができるように構成されており、また、下蓋Ｃ１の水平フランジ３に形成された環状突起３ａは、上蓋Ｃ２の水平フランジ９に形成された環状突起９ａの外側に位置するように構成されている。このように、下蓋Ｃ１に上蓋Ｃ２を被せた際には、下蓋Ｃ１の底板１に形成された補強兼溶着用のリブ５が、上蓋Ｃ２の天板７の下面に接触或いは実質的に接触するように構成されている。なお、下蓋Ｃ１に上蓋Ｃ２を被せた際に、上蓋Ｃ２の水平フランジ９に形成された環状突起９ａと下蓋Ｃ１の水平フランジ３に形成された環状突起３ａとの間に位置する下蓋Ｃ１の水平フランジ３の上面には、環状溝３ｂを形成することが好ましい。
【００１３】
上述したように、下蓋Ｃ１に上蓋Ｃ２を被せる前に、下蓋Ｃ１には、発泡樹脂で成形されたブロック状或いは板状の断熱材Ｍが敷き詰められる。なお、下蓋Ｃ１に配置された断熱材Ｍは、その上面が、補強兼溶着用のリブ５の上端を越えて上方に突出しないように敷き詰められるが、断熱材Ｍの上面が、補強兼溶着用のリブ５の上端より、若干、下方に位置するように配置されることが好ましい。
【００１４】
上述したように、断熱材Ｍが敷き詰められた下蓋Ｃ１を、振動溶着機の機台に固定するとともに、振動溶着機の振動装置に上蓋Ｃ２を取り付け、その後、振動装置を水平方向に振動させると、下蓋Ｃ１の水平フランジ３と、下蓋Ｃ１の水平フランジ３に載置されている上蓋Ｃ２の水平フランジ９に形成された環状突起９ａとの間に摩擦熱が発生し、下蓋Ｃ１の水平フランジ３と上蓋Ｃ２の水平フランジ９に形成された環状突起９ａとの接触面及びその近傍が溶融し、下蓋Ｃ１の水平フランジ３と上蓋Ｃ２の水平フランジ９に形成された環状突起９ａとが溶着されることになると同時に、上蓋Ｃ２の天板７と、上蓋Ｃ２の天板７に接触或いは実質的に接触している下蓋Ｃ１の底板１に形成された補強兼溶着用のリブ５との間に摩擦熱が発生し、上蓋Ｃ２の天板７と下蓋Ｃ１の底板１に形成されたリブ５との接触面及びその近傍が溶融し、上蓋Ｃ２の天板７と下蓋Ｃ１の底板１に形成されたリブ５とが溶着されることになる。下蓋Ｃ１の水平フランジ３と上蓋Ｃ２の水平フランジ９に形成された環状突起９ａとの溶着作業の際に発生する溶融樹脂液は、上述した上蓋Ｃ２の水平フランジ９に形成された環状突起９ａと下蓋Ｃ１の水平フランジ３に形成された環状突起３ａとの間に位置する下蓋Ｃ１の水平フランジ３に形成された環状溝３ｂに溜められるとともに、下蓋Ｃ１の水平フランジ３に形成された環状突起３ａにより、溶融樹脂液が、環状突起３ａを越えて外側に流れ出るようなことが防止できる。
【００１５】
次いで、下蓋Ｃ１に形成された空気抜き筒部６の透孔６ａに、図示されていない真空装置の針を挿入し、上述したようにして溶着された下蓋Ｃ１と上蓋Ｃ２との間に存在する空気を除去する。その後、空気抜き筒部６の透孔６ａに熱可塑性の樹脂で成形された栓１０の柱状部１０ａを挿入し、次いで、栓１０を高速回転させることにより、摩擦熱により、栓１０の柱状部１０ａの外周面或いは／及び空気抜き筒部６の内周面を溶融して栓１０と空気抜き筒部６とを溶着し、保冷容器用蓋Ｃが製造されることになる。
【００１６】
本発明は、上述したように、下蓋Ｃ１の底板１に形成された複数の補強兼溶着用のリブ５と上蓋Ｃ２の天板７とが溶着されているので、保冷容器用蓋Ｃの強度及び剛性が向上し、保冷容器の内外の温度差による熱膨張差による蓋の反り変形が防止できる。
【００１７】
補強兼溶着用のリブ５は、保冷容器用蓋Ｃの内部に存在するので、保冷容器用蓋Ｃの外表面には、従来のような波形状の凹凸や交差凹凸が存在しないので、保冷容器用蓋Ｃの洗浄性が向上する。
【００１８】
【発明の効果】
本発明は、以上説明した構成を有しているので、以下に記載する効果を奏するものである。
【００１９】
下蓋の底板に形成された複数の補強兼溶着用のリブと上蓋の天板とが溶着されているので、保冷容器用蓋の強度及び剛性が向上し、保冷容器の内外の温度差による熱膨張差による蓋の反り変形が防止できる。
【００２０】
補強兼溶着用のリブは、保冷容器用蓋の内部に存在するので、保冷容器用蓋の外表面には、従来のような波形状の凹凸や交差凹凸が存在しないので、保冷容器用蓋の洗浄性が向上する。
【図面の簡単な説明】
【図１】図１は本発明の保冷容器用蓋の分解斜視図である。
【図２】図２は本発明の保冷容器用蓋を構成する下蓋の斜視図である。
【図３】図３は本発明の保冷容器用蓋を構成する下蓋の長辺方向に沿った垂直断面図である。
【図４】図４は本発明の保冷容器用蓋を構成する上蓋の斜視図である。
【図５】図５は本発明の保冷容器用蓋を構成する上蓋の長辺方向に沿った垂直断面図である。
【図６】図６は本発明の保冷容器用蓋が組み立てられ溶着前の短辺方向に沿った垂直断面図である。
【図７】図７は本発明の保冷容器用蓋が組み立てられ溶着前の状態の部分拡大垂直断面図である。
【図８】図８は本発明の保冷容器用蓋の空気抜き筒部付近の部分拡大垂直断面図である。
【図９】図９は同じく本発明の保冷容器用蓋の空気抜き筒部付近の部分拡大垂直断面図である。
【符号の説明】
Ｃ・・・・・・・・・・・・・保冷容器用蓋
Ｃ１・・・・・・・・・・・・下蓋
Ｃ２・・・・・・・・・・・・上蓋
Ｍ・・・・・・・・・・・・・断熱材
５・・・・・・・・・・・・・リブ
【図１】
0004651871.tif 000002
【図２】
0004651871.tif 000003
【図３】
0004651871.tif 000004
【図４】
0004651871.tif 000005
【図５】
0004651871.tif 000006
【図６】
0004651871.tif 000007
【図７】
0004651871.tif 000008
【図８】
0004651871.tif 000009
【図９】
0004651871.tif 000010